(57)【要約】【課題】特に背負いバッグにおいて背当て部を強制的に冷却し、長時間背負っていても背中の蒸れを効果的に除去することができる背負いバッグを提供する。【解決手段】背中に背負うバッグであって、少なくとも、物を収容するバッグ本体２と、背負ったときに背中が当たる背当て部１１を電動ファン５ａ，５ｂによる気流により強制的に冷却する強制冷却手段４と、前記バッグ本体又は強制冷却手段に取り付けられ、肩に掛けてバッグを背負うためのベルト３とを具備することを特徴とする背負いバッグ１。前記強制冷却手段は、例えば、背負いバッグの底部に設けられた前記電動ファンと、上部に開口部８が設けられて吸気又は排気を行うためのノズル７ａ，７ｂと、前記背当て部に設けられて前記電動ファンとノズルをつなぐパイプ６とからなり、該パイプの背中が当たる側が通気性を有するものである。【選択図】    図１
2004147871.tif 000002
【特許請求の範囲】
【請求項１】
背中に背負うバッグであって、少なくとも、物を収容するバッグ本体と、背負ったときに背中が当たる背当て部を電動ファンによる気流により強制的に冷却する強制冷却手段と、前記バッグ本体又は強制冷却手段に取り付けられ、肩に掛けてバッグを背負うためのベルトとを具備することを特徴とする背負いバッグ。
【請求項２】
前記電動ファンが、正逆両方向に回転できるものであることを特徴とする請求項１に記載の背負いバッグ。
【請求項３】
前記電動ファンが、乾電池、蓄電池、ソーラーセル、小型発電装置、自転車用発電機及びオートバイのバッテリーのうちの少なくともいずれか一つを電源として作動するものであることを特徴とする請求項１又は請求項２に記載の背負いバッグ。
【請求項４】
前記強制冷却手段が、背負いバッグの底部に設けられた前記電動ファンと、上部に開口部が設けられて吸気又は排気を行うためのノズルと、前記背当て部に設けられて前記電動ファンとノズルをつなぐパイプとからなり、該パイプの背中が当たる側が通気性を有するものであることを特徴とする請求項１ないし請求項３のいずれか１項に記載の背負いバッグ。
【請求項５】
前記ノズルが、前記開口部の向きを変えられるものであることを特徴とする請求項４に記載の背負いバッグ。
【請求項６】
前記強制冷却手段とバッグ本体とが、着脱可能に設けられていることを特徴とする請求項１ないし請求項５のいずれか１項に記載の背負いバッグ。
【請求項７】
前記ノズルに連結される連結口及び該連結口に通ずる通気口を有するヘルメットを取り付けたものであることを特徴とする請求項４ないし請求項６のいずれか１項に記載のヘルメット連結型の背負いバッグ。
【請求項８】
前記ノズルに連結される連結口及び該連結口に通ずる通気口を有するウエアを取り付けたものであることを特徴とする請求項４ないし請求項７のいずれか１項に記載のウエア連結型の背負いバッグ。
【請求項９】
前記ウエアが、レインウエアであることを特徴とする請求項８に記載の背負いバッグ。
【請求項１０】
前記背負いバッグのノズルと連結される連結口及び該連結口に通ずる通気口を有するヘルメット及びウエアのうち少なくとも１つを前記背負いバッグに取り付け、前記強制冷却手段により通気しつつ使用することを特徴とする請求項４ないし請求項６のいずれか１項に記載の背負いバッグの使用方法。
【請求項１１】
体の一部に密着させて運ぶバッグであって、少なくとも、物を収容するバッグ本体と、運ぶときに体に密着させる密着部を電動ファンによる気流により強制的に冷却する強制冷却手段と、前記バッグ本体又は強制冷却手段に取り付けられ、バッグを体に密着させて支持するための支持手段とを具備することを特徴とするバッグ。
【発明の詳細な説明】
【０００１】
【発明の属する技術分野】
本発明は、デイパック、マウンテンバッグ、バイクバッグ、サイクルバッグ、リュックザック、ランドセル、メッセンジャーバッグ等、物を収容して背中、腰、お尻等、身体の一部に密着させて運ぶタイプのバッグに関する。
【０００２】
【従来の技術】
従来、デイパックやサイクルバッグは、通常、背中に密着して背負うが、人の背中や肩には大きな筋肉があり熱や汗が出やすいため、特に長い時間背負っていると、背中が当たる背当て部のあたりが蒸れて不快感をもたらすという問題がある。そこで、背当て部の通気性を良くするため、様々な工夫がなされている。
【０００３】
例えば、図５に示されるように、バッグ５１の背当て部５４を湾曲形状に形成することで背中５３に当たる部分を小さくして蒸れを防ぐようにしたものが提案されている。
しかし、このように背当て部５４を湾曲させて背中に接する面積を小さくすると、バッグの収容性が悪い上、背中に密着しないため不安定であり、背負う人の動きが制限されるという問題がある。また、背中に当たる部分に荷重が集中するので、背負っている人に苦痛を与えてしまうという問題もある。
【０００４】
また、背当て部に大きな溝を形成したものや、多数の孔を形成したプラスチック製の複数の筒を平行に並べたものをバッグの背当て部に取り付けるなどして通気性を確保するものが提案されている（例えば、特許文献１参照）。
しかし、このように背当て部に溝を形成したり、パイプを連結したものでは、背当て部の通気は自然の流れに依存するので、特に暑い日や長時間背負っている場合には背中の蒸れが十分に除去されないという問題がある。
【０００５】
さらに、背中部分を積極的に冷却する手段として、断熱ケース内に飲料用の液体を入れて冷凍したものを、背当て部に取り付けたリュックザックが提案されている（例えば、特許文献２参照）。
このようなリュックザックであれば、断熱ケース内に例えば水を入れて氷とした場合、氷が溶けるまでは背当て部を積極的に冷却することができるが、長時間背負って全て解けてしまった場合には冷却効果が失われ、再び冷却効果を発揮させるにはケース内の水を凍らせる必要がある。従って、バッグ使用中に交換等することは事実上不可能であり、再び使用するためには冷凍庫が必要で、凍るまでの時間的な制約もある。また、単に氷水で冷やすだけであるので、背中は冷却されるけれども、湿気については全く揮散する機能は無く、かえって背中が一層蒸れてしまう。さらに飲料用の液体を入れたケースはかなりの高重量となるので、背負う人にとってはかえって負担となってしまうという問題もある。
【０００６】
【特許文献１】
特開平１０−１４６５７号公報（請求項１、図１〜図４）
【特許文献２】
特開２０００−１５２８２０号公報（請求項１、図１）
【０００７】
【発明が解決しようとする課題】
本発明は、上記問題を解決するためになされたものであり、特に背負いバッグにおいて、背当て部を強制的に冷却し、長時間背負っていても背中の蒸れを効果的に除去することができる背負いバッグを提供することを主な目的とする。
【０００８】
【課題を解決するための手段】
前記目的を達成するため、本発明によれば、背中に背負うバッグであって、少なくとも、物を収容するバッグ本体と、背負ったときに背中が当たる背当て部を電動ファンによる気流により強制的に冷却する強制冷却手段と、前記バッグ本体又は強制冷却手段に取り付けられ、肩に掛けてバッグを背負うためのベルトとを具備することを特徴とする背負いバッグが提供される（請求項１）。
【０００９】
このような強制冷却手段を具備した背負いバッグであれば、人がこのバックを背負っている際に電動ファンを作動させておくことで、電動ファンによる気流によって背当て部の熱と汗を強制的に排除するとともに、身体、特に背中を冷却することができる。また、電動ファンを使用しているので、電池交換等をするだけで電気の供給を継続することができ、冷却効果を安定して発揮させることができる。
【００１０】
また、前記電動ファンは、正逆両方向に回転できるものであることが好ましい（請求項２）。
このように電動ファンが両方向に回転できるものであれば、電動ファンによる気流を反対方向に設定することができる。従って、状況に応じ、電動ファンの回転方向、すなわち気流の方向を変えることで、背当て部をより効果的に強制冷却することができる。
【００１１】
また、電動ファンは、乾電池、蓄電池、ソーラーセル、小型発電装置、自転車用発電機及びオートバイのバッテリーのうちの少なくともいずれか一つを電源として作動するものとすることができる（請求項３）。
このような電源により作動する電動ファンであれば、電源が小さくて軽量であったり、一緒に携帯することができるなどの利点があり、使用状況に応じた電源を用いることで、背当て部を効率的にかつ持続的に強制冷却することができる。
【００１２】
さらに、具体的なものとして、前記強制冷却手段は、背負いバッグの底部に設けられた前記電動ファンと、上部に開口部が設けられて吸気又は排気を行うためのノズルと、前記背当て部に設けられて前記電動ファンとノズルをつなぐパイプとからなり、該パイプの背中が当たる側が通気性を有するものとすることができる（請求項４）。
このような強制冷却手段とすれば、バッグを背負っている人の背中から出る熱や汗がパイプ内に取り込まれて電動ファンあるいはノズルを通じて外に放出させることができ、背中の蒸れを極めて効果的に除去することができる。
【００１３】
この場合、前記ノズルが、前記開口部の向きを変えられるものであることが好ましい（請求項５）。
例えば、電動ファンによる開口部からの気流がバッグを背負っている人の頸動脈付近に当たるように開口部の向きを調節すれば、背負っている人の背中のほかに首や頭も冷やすことができる。
【００１４】
前記強制冷却手段とバッグ本体とが、着脱可能に設けられているものとしても良い（請求項６）。
こうすることによって、例えば必要なときにだけバッグ本体に強制冷却手段を取り付けることができ一層便利であるし、例えば、１つの強制冷却手段に対してサイズの異なる複数のバッグ本体を取り付けられるようにすることも可能となる。
【００１５】
また、本発明の背負いバッグは、前記ノズルに連結される連結口及び該連結口に通ずる通気口を有するヘルメットを取り付けたヘルメット連結型の背負いバッグとしても良い（請求項７）。
このようなヘルメット連結型の背負いバッグとすれば、バッグの背当て部のほかに、ヘルメット内部における蒸れも強制的に除去することが可能となる。
【００１６】
さらに、前記ノズルに連結される連結口及び該連結口に通ずる通気口を有するウエアを取り付けたウエア連結型の背負いバッグとしても良く（請求項８）、この場合、前記ウエアはレインウエアとすることができる（請求項９）。
このようなウエア連結型の背負いバッグとすれば、ウエア内部の蒸れも強制的に除去することができ、特にレインウエアの内部は蒸れ易いので極めて便利なものとなる。
【００１７】
そして、前記ノズルを設けた背負いバッグの具体的な使用方法としては、前記背負いバッグのノズルと連結される連結口及び該連結口に通ずる通気口を有するヘルメット及びウエアのうち少なくとも１つを前記背負いバッグに取り付け、前記強制冷却手段により通気しつつ使用することができる（請求項１０）。
このようにヘルメットやウエアの連結口を背負いバッグのノズルに連結して使用すれば、強制冷却手段による通気により、これらを装着している人の背中や肩の蒸れのほかに、頭や体全体の蒸れを効果的に除去することができる。
【００１８】
また、本発明では背負いバッグに限らず、体の一部に密着させるバッグであって、同様の効果を奏することができるバッグも提供される。すなわち、体の一部に密着させて運ぶバッグであって、少なくとも、物を収容するバッグ本体と、運ぶときに体に密着させる密着部を電動ファンによる気流により強制的に冷却する強制冷却手段と、前記バッグ本体又は強制冷却手段に取り付けられ、バッグを体に密着させて支持するための支持手段とを具備することを特徴とするバッグが提供される（請求項１１）。
例えば、腰やお尻に密着させて運ぶタイプのバッグ、あるいは胸から腹にかけて体の前面に密着させるタイプのバッグも体に密着する部分は蒸れ易いが、上記のような電動ファンによる強制冷却手段を具備することで、密着部の熱と汗を強制的に排除するとともに、密着部を強制的に冷却することができる。
【００１９】
【発明の実施の形態】
以下、本発明の実施の形態について具体的に説明する。なお、好適な態様として背中に密着させて運ぶ背負いバッグについて説明するが、本発明はこれに限定されるものではない。
図１は、本発明に係る背負いバッグの第１の態様の概略を示したものであり、図２は、その使用例を示したものである。この背負いバッグ１は、荷物等、物を収容するバッグ本体２と、該バッグ本体２に取り付けられ、肩に掛けてバッグ１を背負うためのベルト（肩ベルト）３と、背負ったときに背中が当たる背当て部１１を電動ファン５ａ，５ｂによる気流により強制的に冷却する強制冷却手段４とを具備している。
【００２０】
この強制冷却手段４は、具体的には背負いバッグ１の底部に設けられた電動ファン５と、上部に開口部８が設けられて吸気又は排気を行うためのノズル７ａ，７ｂと、背当て部１１に設けられて電動ファン５ａ，５ｂとノズル７ａ，７ｂをつなぐパイプ６とからなり、パイプ６の背中が当たる側が通気性を有するものとなっている。
【００２１】
電動ファン５ａ，５ｂはバッグ本体２の底部の左右に１つずつ設けられており、乾電池９を電源としてそれぞれ作動する。また、各電動ファン５ａ，５ｂは、バッグ１の底部の外側に取り付けられたスイッチ１０の切り換えにより、正逆いずれの方向にも回転することができるようになっている。そのためパイプ６内を通る気流の方向も逆転させることができ、すなわちノズル７ａ，７ｂの開口部８から吸気することも、排気することも行うことができる。
【００２２】
なお、電動ファン５ａ，５ｂの形状や羽根の枚数は特に限定されるものではないが、例えばパソコン内部で一般的に冷却用ファンとして使用されているようなものであれば小さくて軽量であり、静かであり、また省電力で比較的強い気流を生じさせることができるので、好適に適用することができる。
【００２３】
また、電動ファン５ａ，５ｂの電源に関しては、乾電池９であれば、小さくて軽量であり、また、電池切れの際には容易に交換してファン５を再び作動させることができるので非常に便利である。ただし、動力源は乾電池９に限定されるものではなく、乾電池、蓄電池、ソーラーセル、小型発電装置、自転車用発電機及びオートバイのバッテリーのうちの少なくともいずれか一つを電源として作動するものとしても良い。例えば、乾電池と自転車用発電機のいずれかにより作動するものとすれば、歩行時には乾電池によって一定時間確実に作動させて強制冷却することができる。一方、自転車１３に乗っているときには、そのまま乾電池を使うか、自転車１３に付属し、車輪の回転によって発電することができる発電機（図示せず）につなげて作動させても良い。
【００２４】
一方、蓄電池を電源とするものであれば、充電により繰り返し使用することができるので経済性に優れたものとなる。また、ソーラーセルを電源とするものであれば、天気の良い日などは乾電池等によらずに作動させることができ、経済性に優れる上に自然環境にも良い。また、いずれの電源も一緒に携帯できる点でも好適である。
さらに、小型の発電装置も使用することができる。例えば、最近パソコンやデジタルカメラに使用するものとして実用化されている小型の燃料電池など、小型の発電装置であればバッグ内に携帯することができ、好適に使用することができる。
【００２５】
背当て部１１に位置するパイプ６は、電動ファン５ａ，５ｂとノズル７ａ，７ｂをつなぐとともに、背中が当たる側がメッシュ状となって背中側の通気性が確保されるものとなっている。これにより、背負っている人１２の背中から出る熱や汗を確実に排出することができる。なお、熱や汗をパイプ６内部に取り出せるのであれば、必ずしもメッシュ状である必要は無く、汗や熱を効率的に吸収する素材や構造を適用することができる。一方、パイプ６のバッグ本体側では、通気を確保するためパイプ６の形状を保つ必要がある。従って、パイプ６は例えばウレタンフォームあるいは他のプラスチック素材により成形し、背中側では多数の小さな孔を開けるなどして通気性が保たれるようにしても良く、例えばウレタンフォームで成形したものであれば柔軟性も保たれるので、背中に密着させてバッグを安定して背負うことができる。
また、パイプは、各電動ファン５ａ，５ｂとノズル７ａ，７ｂとをそれぞれ別々につなぐものを２つ設け、各パイプ内部での気流を速くするようにしても良い。
【００２６】
さらに上部のノズル７ａ，７ｂとしては、プラスチック製の蛇腹状のものが使用され、手で角度を調節することで開口部８の向きが容易に変えられるようになっている。なお、開口部８の角度を変えられるものとしては、蛇腹状のもに限らず他のフレキシブルなノズルを使用しても良い。
【００２７】
このような背負いバッグ１の使い方は特に限定されるものではないが、例えば、歩行時には、図２（Ａ）に示したようにファン５の下から吸気してノズル７の開口部８から排気されるようにファン５を回転させるとともに、ノズル７を角度調節して開口部８を頸動脈付近あるいは顔の方に向ければ、扇風機のようにも機能し、背中の他に首や頭も強制的に冷却することができる。
なお、開口部８の径を小さく設定すれば流出する空気の流れが速くなるので、首や頭の冷却効果を高めることができる。
【００２８】
一方、自転車やオートバイに乗っているときには、図２（Ｂ）に示したようにファン５を逆方向に回転させてノズル７の開口部８から吸気して底部から排気させることで、背中からの発熱及び発汗を効果的に除去することができる。なお、この場合、開口部８が進行方向に向くようにノズル７の角度を調節しておけば、効率的に吸気することができ、自転車１３の進行によって開口部８から取り込まれる空気と電動ファン５による強制的な気流とが相俟って背当て部１１の熱や汗を極めて効果的に除去することができる。
【００２９】
図１、２に示した背負いバッグ１は、バッグ本体２と、肩ベルト３と、強制冷却手段４が一体的となったものであるが、強制冷却手段４とバッグ本体２とが、着脱可能に設けられているものとしても良い。
【００３０】
図３は、本発明に係る背負いバッグの第２の態様を示したものである。この強制冷却手段４ａは、底部に設けられた電動ファン（図示せず）と、上部に開口部８が設けられて吸気又は排気を行うためのノズル７と、電動ファンとノズル７をつなぐパイプ６とを有し、さらに、バッグ本体と合体させるための取り付け用ベルト２２，２３が縦横に設けられている。
【００３１】
このようにバッグ本体に着脱可能な強制冷却手段４ａとすれば、サイズが異なる同種のバッグ本体、あるいは所定の大きさの範囲内にあれば形状が多少異なるものを交換して使用することも可能となる。例えば、図３に示されるように、タウンユース用（あるいはサイクリング用）の比較的小さなバッグ２１ａと、トレッキング用（あるいは登山用）の比較的大きなバッグ２１ｂのいずれにも対応させることができる。
【００３２】
なお、着脱手段としては、図３に示されているような取り付け用ベルト２２，２３に限定されず、ボタンやファスナーを用いても良い。また、図３では、肩ベルト３はバッグ本体２に取り付けられているが、このような肩ベルト３は強制冷却手段４ａに取り付けたものとしても良いし、あるいはバッグ本体２ａ，２ｂと強制冷却手段４ａの両方に取り付けたものとしても良い。
【００３３】
さらに図４は、本発明の背負いバッグの第３の態様を示したものである。
この背負いバッグ２１は、一方のノズル７ａを介してヘルメット３１を取り付けたヘルメット連結型の背負いバッグ２１となっている。ヘルメット３１の額部には通気口３２が設けられ、さらに側部に背負いバッグ２１のノズル７に連結される連結口３３が設けられており、ヘルメット３１の内部においては通気口３２と連結口３３とが通じて空気の流れをつくる構造となっている。例えばヘルメット３１を被っているときでも連結口３３と通気口３２とが通じるような溝を形成しておけば良い。
【００３４】
また、この背負いバッグ２１は、他方のノズルを介してレインウエア４１を取り付けたウエア連結型の背負いバッグでもある。レインウエア４１は、肩部付近において連結口４３、膝部付近において通気口４２がそれぞれ設けられている。レインウエア４１の場合は、連結口４３と通気口４２とはウエア４１内部に溝等を設けなくてもこれを装着して歩いているときには通じることになる。しかし、自転車やオートバイに乗って腰や膝を曲げたときにはウエア４１が腰や膝のあたりに密着して通気し難くなるおそれがあるので、通気を確保できるように、例えば、所定の箇所にウレタン等の素材を用いて溝や孔等を形成したものを設けても良い。
【００３５】
このようなヘルメット連結型兼ウエア連結型の背負いバッグ２１を使用する際には、背負いバッグ２１の片方のノズル７ａを連結用パイプ１４ａを通じてヘルメット３１の連結口３３に連結させ、もう一方のノズルを同様の連結用パイプ１４ｂを通じてレインウエア４１の連結口４３にそれぞれ連結させる。なお、蛇腹状のノズル７であれば伸ばすこともできるので、各連結口３３，４３と直結するようにしても良い。そして例えば雨の日にオートバイを運転する際、このような背負いバッグ２１を使用し、ヘルメット３１及びウエア４１の各通気口３２，４２から吸気し、バッグ２１の底部から排気させるように強制冷却手段４の電動ファン５を回転させる。これにより、バッグ２１の背当て部１１のみならず、ヘルメット３１の内部とレインウエア４１の内部が強制的に通気されて蒸れを効率的に排除することができ、安全運転にも繋がることになる。
【００３６】
なお、状況によりバッグ２１の底部から吸気し、ヘルメット３１とレインウエア４１の各通気口３２，４２から排気されるように電動ファン５を回転させるようにしても良い。また、ヘルメット３１とレインウエア４１のいずれか一方を取り付けたものとしても良いし、レインウエア４１に限らず、トレッキング用ウエア、登山用ウエア、あるいは皮革製のオートバイ用ウエアを取り付けたものとしても良い。
さらに、バッグの底部の電動ファン５ａ，５ｂのほかに、例えば各ノズル７ａ，７ｂにヘルメット用とウエア用の補助的な電動ファンをそれぞれ独立して設けて通気能力を高めても良い。
【００３７】
本発明は、上記実施形態に限定されるものではない。上記実施形態は単なる例示であり、本発明の特許請求の範囲に記載された技術的思想と実質的に同一な構成を有し、同様な作用効果を奏するものは、いかなるものであっても本発明の技術的範囲に包含される。
【００３８】
例えば、上記実施形態では強制冷却手段として電動ファン５ａ，５ｂとパイプ６とノズル７ａ，７ｂとを具備したものについて説明したが、背当て部１１を電動ファン５による気流により強制的に冷却することができれば、パイプ６やノズル７は必ずしも具備する必要はなく、例えば、背当て部１１の内側に上下に通じる溝を設けて電動ファン５による気流が通過できる構造としても良い。
【００３９】
また、電動ファンやノズルの数は限定されず、それぞれ１つずつ、あるいは３つ以上設けても良い。また、電動ファンの位置も底部に限られず、上部あるいは中間部に取り付けることも可能である。
また、バッグを背負うためのベルトに関しても、図１等に示したように両肩に掛けるもののほか、たすき掛けとするものや、服のように両腕に通すものなど、バッグを体に密着させて支持することができるものであれば特に限定されない。
【００４０】
さらに、背負いバッグのタイプは特に限定されるものではなく、デイパック、マウンテンバッグ、バイクバッグ、サイクルバッグ、リュック、ランドセル等、身体に密着させて背負うバッグであれば全てに適用可能である。
また、上記実施形態では背中全体で背負うバッグについて説明したが、本発明は体の一部に密着させて運ぶバッグであれば特に限定されず、例えば、背中の片側で背負うバッグのほか、ベルト等の支持手段により腰まわりに密着させて運ぶウエストバッグ、お尻に密着させて運ぶヒップバッグ、あるいは体の前面に密着させて運ぶタイプのバッグ等において、運ぶときに体に密着させる密着部を電動ファンによる気流により強制的に冷却する強制冷却手段を設けることで本発明のバッグとすることができる。
また、本発明のバッグは、電動ファンによる強制冷却手段が設けられていれば、さらに他の冷却手段、例えば氷等の冷媒による冷却手段を組み合わせて用いてもよい。
【００４１】
【発明の効果】
本発明のバッグ、例えば背負いバッグであれば、背負ったときに背中が当たる背当て部を電動ファンによる気流により強制的に冷却する強制冷却手段を具備しており、これを背負ったときに電動ファンを作動させることで特に熱や汗が出易い背中や肩の部分の蒸れを強制的に除去するとともに、身体を冷却することができる。従って、例えば長時間背負っていても快適さを保つことができる。
【図面の簡単な説明】
【図１】本発明の背負いバッグの一例を示す概略図である。
【図２】図１の背負いバッグの使用例を示す説明図である。
（Ａ）歩行時の使用例
（Ｂ）自転車乗車時の使用例
【図３】本発明の背負いバッグの第２の形態を示す概略図である。
【図４】本発明の背負いバッグの第３の形態を示す概略図である。
【図５】従来の背負いバッグの一例を示す概略図である。
【符号の説明】
１，２１…背負いバッグ、  ２，２ａ，２ｂ…バッグ本体、  ３…肩ベルト、
４，４ａ…強制冷却手段、  ５，５ａ，５ｂ…電動ファン、  ６…パイプ、
７，７ａ，７ｂ…ノズル、  ８…開口部、  ９…乾電池、  １０…スイッチ、
１１…背当て部、  １２…人、  １３…自転車、
２１ａ…背負いバッグ（タウンユース用）、  １４ａ，１４ｂ…連結用パイプ、
２１ｂ…背負いバッグ（トレッキング用）、  ２２，２３…取り付け用ベルト、
３１…ヘルメット、  ３２…通気口、  ３３…連結口、  ４１…レインウエア、
４２…通気口、  ４３…連結口、  ５１…背負いバッグ（従来品）、
５３…背中、  ５４…背当て部。
【図１】
2004147871.tif 000003
【図２】
2004147871.tif 000004
【図３】
2004147871.tif 000005
【図４】
2004147871.tif 000006
【図５】
2004147871.tif 000007